(57)【要約】【課題】充電電流を抑えた異なる駆動電圧への遷移が行なわれ、かつ超音波反射信号の受信が低ノイズで行なわれて、高画質の超音波診断装置を提供すること。【解決手段】分割された期間毎に、振動子１９を異なる駆動電圧で作動させる超音波診断装置であって、前記振動子を第１の駆動電圧で駆動する第１の期間において、前記第１の駆動電圧を出力する電源のフィルタ１５あるいは出力に接続される第１のコンデンサ１５２、１５３、１８、１２２と、前記第１のコンデンサより大きい静電容量値を有し、前記第１の期間に続く比較的長い時間で、前記振動子を前記第１の駆動電圧より低い第２の駆動電圧で駆動する第２の期間においてオンとなるスイッチ手段１５４、２５５、１８１、１２３を介し、前記第１のコンデンサに並列接続される第２のコンデンサ１５６、１５７、１８２、１２４とを具備し、前記第１の期間と前記第２の期間が交互に繰り返されて、前記第２の期間において前記振動子で受信した超音波信号を用いて超音波診断画像を描出することを特徴とする超音波診断装置。【選択図】  図１
2006081730.tif 000002
【特許請求の範囲】
【請求項１】
分割された期間毎に、振動子を異なる駆動電圧で作動させる超音波診断装置であって、
前記振動子を第１の駆動電圧で駆動する第１の期間において、前記第１の駆動電圧を出力する電源のフィルタあるいは出力に接続される第１のコンデンサと、
記第１の期間に続く比較的長い時間で、前記振動子を前記第１の駆動電圧より低い第２の駆動電圧で駆動する第２の期間においてオンとなるスイッチ手段を介し、前記第１のコンデンサに並列接続される第２のコンデンサとを具備し、
前記第１の期間と前記第２の期間が交互に繰り返されて、前記第２の期間において前記振動子で受信した超音波信号を用いて超音波診断画像を描出することを特徴とする超音波診断装置。
【請求項２】
前記第２のコンデンサは、前記第１のコンデンサより大きい静電容量値を有することを特徴とする請求項１記載の超音波診断装置。
【請求項３】
前記第１および第２のコンデンサは、前記電源がスイッチングレギュレータで構成され、その出力に設けられる平滑フィルタを構成するフィルタコンデンサであることを特徴とする請求項１または２記載の超音波診断装置。
【請求項４】
前記第１および第２のコンデンサは、前記電源が３端子レギュレータで構成され、その出力に設けられる高周波除去フィルタを構成するフィルタコンデンサであることを特徴とする請求項１または２記載の超音波診断装置。
【請求項５】
前記第１および第２のコンデンサは、前記電源からの出力が入力される回路の入力端に設けられる高周波除去フィルタを構成するフィルタコンデンサであることを特徴とする請求項１または２記載の超音波診断装置。
【請求項６】
分割された期間毎に、振動子を異なる駆動電圧で作動する超音波診断装置であって、
前記振動子を第１の駆動電圧で駆動する第１の期間において、前記第１の駆動電圧を出力する電源に備える高周波信号を除去する第１の組の複数のコンデンサと、
前記第１の期間に続く比較的長い時間で、前記振動子を前記第１の駆動電圧より低い第２の駆動電圧で駆動する第２の期間においてオンとなるスイッチ手段を介し、前記第１の組のコンデンサそれぞれに並列接続される第２の組の複数のコンデンサとを具備し、
前記第１の期間と前記第２の期間が交互に繰り返されて、前記第２の期間において前記振動子で受信した超音波信号を用いて超音波診断画像を描出することを特徴とする超音波診断装置。
【請求項７】
前記第２の組の複数のコンデンサそれぞれは、前記第１の組の複数のコンデンサより大きい静電容量値をそれぞれ有することを特徴とする請求項６記載の超音波診断装置。
【請求項８】
前記第１の期間で生体内の微小気泡を壊すフラッシュ用超音波信号の駆動が、前記第２の期間では、超音波診断画像信号の駆動が、前記振動子に行われるフラッシュエコー方式で作動することを特徴とする請求項１乃至７のいずれかに記載の超音波診断装置。
【発明の詳細な説明】
【技術分野】
【０００１】
本発明は、超音波診断装置の振動子駆動電源に関し、特にフラッシュエコー方式などの異なる電圧で振動子を駆動する超音波診断装置に関する。
【背景技術】
【０００２】
生体内の構造や機能を断層画像としてリアルタイムで観察することができる超音波診断装置が広く利用されている。この超音波診断装置において、生体内血流の機能状況を描出するドップラエコー法は一般的によく行なわれており、さらに生体内血液などの体液の状況をリアルタイムで描出、観測する血流造影手法の一つとして、フラッシュエコー方式も造影剤の開発に伴い最近では広く行われる。
【０００３】
このフラッシュエコー方式では、造影剤による微小気泡を壊すために、先ず、画像を得るための超音波信号より十分大きい駆動電圧で振動子を駆動するフラッシュ用超音波信号を放射する。その後、臨床画像を描出する超音波信号を数十回〜数百回放射し、数フレームの画像を表示する。この手順を繰り返して、投与した造影剤の微小気泡に超音波信号が反射されて、気泡画像が血流状態として描出される。
【０００４】
一般的な超音波診断装置では、例えば図４に示すように、駆動送信部４３が駆動パルスを振動子４４に印加して超音波を発生する送信と、同振動子４４による超音波反射信号の受信で、電気信号に変換され、前置増幅器４６に入力される受信信号が共に、振動子へ接続している共通の接続リード線４９を介して行なわれるため，駆動送信部４３の電源ノイズが受信信号に混入することになる。これを避けるために、駆動送信部４３の内部の電源には、静電容量が大きいコンデンサによるフィルタ、あるいは静電容量値が大きい出力コンデンサを備えている。
【０００５】
しかし、前述のように異なる電圧で超音波振動子を駆動する超音波診断装置、特にフラッシュエコー方式のように、フラッシュ用超音波信号の駆動電圧が画像用超音波送信信号の数倍以上の駆動電圧に設定される場合では、図５で示すように、振動子を駆動する電源を高電圧に切換える同図（ａ）に示すレギュレータ出力変化のタイミングで、これらのコンデンサの充電電流は、コンデンサ容量及び同図(ｂ)に示す充電電圧に比例し、充電時間に反比例する関係となり、同図（ｃ）に示す大きな電流値となる。
【０００６】
さらに、フラッシュエコー画像の画質品質を高めるためには、より高い周波数の送信繰り返し周波数を使用した高頻度の画像用超音波送信信号による高密度の走査線表示が必要となる。これには、超音波送信信号の低電圧からフラッシュ用超音波信号の高電圧への駆動電圧の遷移が、できる限り短時間であることが望まれる。反面、コンデンサ充電電流が、前述のように充電時間に反比例するので、回路の過大な充電電流を抑えると、最大送信繰り返し周波数に制約が生じる。
【発明の開示】
【発明が解決しようとする課題】
【０００７】
上に述べたフラッシュエコー方式などのような超音波駆動電源電圧を切換え、出力の異なる超音波信号による超音波画像を描出する超音波診断装置では、超音波診断画像の画質の向上において、描出走査線密度と走査線ノイズがトレードオフの関係になり、それぞれに制約が生じる問題があった。さらに造影効果を高めるために、フラッシュ用超音波信号の出力を高めるためにこの駆動電圧を高めると、先のトレードオフの関係がさらに厳しくなることも大きな問題点となっていた。
【０００８】
この発明は上記の問題点に鑑みてなされたもので、駆動電圧の異なる超音波信号の放射により超音波画像を描出するものであって、異なる駆動電圧への遷移が電源充電電流を抑えた短時間で行なわれ、かつ画像描出の超音波反射信号の受信が低ノイズで行なわれて、高品質の画質が確保できる超音波診断装置を提供することを目的とする。
【課題を解決するための手段】
【０００９】
上記の目的を達成するために、本発明の超音波診断装置は、分割された期間毎に、振動子を異なる駆動電圧で作動させる超音波診断装置であって、前記振動子を第１の駆動電圧で駆動する第１の期間において、前記第１の駆動電圧を出力する電源のフィルタあるいは出力に接続される第１のコンデンサと、前記第１の期間に続く比較的長い時間で、前記振動子を前記第１の駆動電圧より低い第２の駆動電圧で駆動する第２の期間においてオンとなるスイッチ手段を介し、前記第１のコンデンサに並列接続される第２のコンデンサとを具備し、前記第１の期間と前記第２の期間が交互に繰り返されて、前記第２の期間において前記振動子で受信した超音波信号を用いて超音波診断画像を描出することを特徴とするものである。
【００１０】
さらに、上記本発明の超音波診断装置においては、前記第２のコンデンサは、前記第１のコンデンサより大きい静電容量値を有することを特徴とするものである。
【００１１】
さらに、上記本発明の超音波診断装置においては、前記第１および第２のコンデンサは、前記電源がスイッチングレギュレータで構成され、その出力に設けられる平滑フィルタを構成するフィルタコンデンサであることを特徴とするものである。
【００１２】
さらに、上記本発明の超音波診断装置においては、前記第１および第２のコンデンサは、前記電源が３端子レギュレータで構成され、その出力に設けられる高周波除去フィルタを構成するフィルタコンデンサであることを特徴とするものである。
【００１３】
さらに、上記本発明の超音波診断装置においては、前記第１および第２のコンデンサは、前記電源からの出力が入力される回路の入力端に設けられる高周波除去フィルタを構成するフィルタコンデンサであることを特徴とするものである。
【００１４】
また、本発明の超音波診断装置は、分割された期間毎に、振動子を異なる駆動電圧で作動する超音波診断装置であって、前記振動子を第１の駆動電圧で駆動する第１の期間において、前記第１の駆動電圧を出力する電源に備える高周波信号を除去する第１の組の複数のコンデンサと、前記第１の期間に続く比較的長い時間で、前記振動子を前記第１の駆動電圧より低い第２の駆動電圧で駆動する第２の期間においてオンとなるスイッチ手段を介し、前記第１の組のコンデンサそれぞれに並列接続される第２の組の複数のコンデンサとを具備し、前記第１の期間と前記第２の期間が交互に繰り返されて、前記第２の期間において前記振動子で受信した超音波信号を用いて超音波診断画像を描出することを特徴とするものである。
【００１５】
さらに、上記本発明の超音波診断装置においては、前記第２の組の複数のコンデンサそれぞれは、前記第１の組の複数のコンデンサより大きい静電容量値をそれぞれ有することを特徴とするものである。
【００１６】
さらに、上記本発明の超音波診断装置においては、前記第１の期間で生体内に微小気泡を発生するフラッシュ用超音波信号の駆動が、前記第２の期間では、超音波診断画像信号の駆動が前記振動子に行われるフラッシュエコー方式で作動することを特徴とするものである。
【発明の効果】
【００１７】
本発明によれば、フラッシュエコー方式の超音波診断装置であって、送信部の電源に組み込まれた平滑フィルタのコンデンサ、電源出力コンデンサ、及び電源入力コンデンサのそれぞれが、駆動電源電圧が高電圧に遷移するフラッシュ用超音波信号の放射期間では、コンデンサ充電電流を抑える小さい静電容量値に、画像描出の超音波反射信号受信の期間ではノイズを抑える並列コンデンサが付加されて、大静電容量値にそれぞれ切換え設定されるので、過大な充電電流が流れることを抑え、かつ充電時間も短く走査線あるいはフレームレートを高密度にすることができ、さらに走査線ノイズを十分低く抑えた超音波診断装置を提供できる。
【発明を実施するための最良の形態】
【００１８】
以下、本発明の実施形態を図面により詳細に説明する。
【００１９】
図１は、本発明の超音波診断装置の一実施形態を示す送信部の回路図である。
【００２０】
また、図４は、フラッシュエコー方式による超音波診断装置の一般的な概略構成を示すブロック図であり、一実施形態を示す図１の回路図は、図４の送信部４０の詳細の接続を示すものである。
【００２１】
本発明が適用されるフラッシュエコー方式を用いた超音波診断装置の構成と、その作動の概略を、図４を用いて説明する。
【００２２】
フラッシュエコー方式を用いる超音波診断装置の実施形態は、基準クロック発生部４１で発生した基準クロックが、電圧切換え部４２に入力される。この電圧切換え部４２では、基準クロックに同期してフラッシュ用超音波信号のタイミングで高電圧の駆動電源に切換え、その他のタイミングでは送信繰り返し周波数で、超音波画像データを得る超音波信号の比較的低い電圧の駆動電源に切換える。
【００２３】
駆動電源の２種の電圧を切換えて、超音波振動子４４を駆動する電気的な駆動パルスのフラッシュ用超音波信号と画像データを得る超音波信号を、駆動送信部４３が発生する。さらにこの２種類の駆動パルスが、探触子４５と呼ばれるハンドスキャナに備えられた超音波振動子４４に印加されて、超音波信号に変換され、これが生体内部に向けて放射される。
【００２４】
体内に放射された超音波信号は、生体組織の内部あるいはその境界において一部が反射され、超音波反射信号となって再び探触子４５の超音波振動子４４に受信される。この超音波反射信号は、超音波振動子の可逆作用で電気信号の反射波受信信号に変換され、これが前置増幅器４６に入力されて、さらに増幅された信号が信号処理部４７で処理されて臨床画像データが出力される。この出力を画像表示部４８にフラッシュエコー画像として描出、表示する。
【００２５】
次に、図１を用いて、本実施形態の詳細を説明する。本実施形態の超音波診断装置の送信部は、大きくは、所定のタイミングでコンデンサが並列接続で付加される送信電源部１１と、同じく所定のタイミングで電源部入力にコンデンサが並列接続で付加される送信パルス発生部１２、及びこの所定のタイミングを設定する信号を含む制御信号を出力する送信制御部１３から構成される。
【００２６】
送信電源部１１は、超音波診断装置の本体に設けられた基幹電源から供給される電圧Vが、フラッシュ用超音波信号の駆動電圧である比較的高い電圧Ｖｈと、この電圧Ｖｈより低い画像信号の駆動電圧である電圧Ｖｌに対応するスイッチングレギュレータ電源などの１次レギュレータ１４に入力される。この１次レギュレータ１４の出力にはコンデンサ１５２、１５３および平滑コイル１５１から成るπ型に構成した平滑フィルタの一部が接続されており、さらに、コンデンサ１５２、１５３それぞれには、所定のタイミングでスイッチ１５４、１５５がオン・オフの作動をしてコンデンサ１５６、１５７がそれぞれに並列接続され、あるいは切り離される平滑フィルタ１５を接続している。
【００２７】
さらにこのフィルタの出力が、駆動電圧の安定を高める不飽和領域で作動する制御素子を直列に配した３端子レギュレータ方式などの２次レギュレータ１６の入力に接続する。この２次レギュレータ１６の出力端には高周波ノイズを除去する出力コンデンサ１８と、同じく所定のタイミングでスイッチ１８１がオン・オフの作動をしてコンデンサ１８２を並列接続して、送信パルス発生部１２への駆動電圧を出力する。
【００２８】
また、送信電源部１１には、出力電圧制御部１７を備えて、これから出力される１次レギュレータ出力電圧制御信号が１次レギュレータ１４に入力され、同じく２次レギュレータ出力電圧制御信号が２次レギュレータ１６に入力され、さらに送信制御部１３から所定のタイミングでオン・オフにするスイッチ制御信号がそれぞれスイッチ１５４、１５５、１８１に入力される。
【００２９】
送信パルス発生部１２は、送信電源部１１の出力電圧が、入力コンデンサ１２２と、送信制御部１３から出力されたスイッチ制御信号による所定のタイミングでスイッチ１２３が作動して並列接続となるコンデンサ１２４に接続、印加され、これを駆動電源とするスイッチ回路で構成される送信パルス発生回路１２１が接続されて、送信制御部１３から出力された送信パルス制御信号に応じて、振動子１９を駆動する送信パルスを出力する。
【００３０】
送信制御部１３は、振動子１９からフラッシュ用超音波信号と画像信号を得る超音波信号の２種の超音波パルス信号の放射タイミングをそれぞれ制御する送信パルス制御信号と、このフラッシュ用超音波信号と画像信号の超音波信号のそれぞれの駆動電圧を制御する送信用電源制御信号、及び画像信号の超音波信号の放射するタイミングの間、スイッチ１５４、１５５、１８１、１２３がオンとなる制御を行なうスイッチ信号をそれぞれ出力電圧制御部１７と送信パルス発生回路１２１へ出力する。
【００３１】
なお、スイッチ１５４、１５５、１８１、１２３のそれぞれにより並列に接続されるコンデンサ１５６、１５７、１８２、１２４の各静電容量値は、これらと対をなす常時接続されているコンデンサ１５２、１５３、１８、１２２との静電容量比率がおおむね２倍以上の比率で設定すると好適であり、これらの比率は回路設計において設定される。
【００３２】
次に、この実施形態の作用、動作について、図２に示すタイミング図、あるいは図３の出力波形の模式図を用いて説明する。
【００３３】
本実施形態は、全てのタイミングの基調は図１に示していないシステムクロックに基づいて行われ、これに同期して図２（ｅ）に示す送信パルス制御信号が送信制御部１３から出力される。なお、システムクロックは、図４に基準クロックとして示すものと、基本的な作用、動作は同じである。
【００３４】
この送信制御部１３からの送信パルス制御信号は、超音波振動子からフラッシュ用超音波信号と画像信号を放射するタイミングを制御する信号で、同図（ａ）に示すように、パルスＰｆのタイミングでフラッシュ用超音波信号Ｄｆを、パルスＰｇのタイミングで画像信号Ｄｇを放射する。
【００３５】
同図（ｅ）に示したように、パルスＰｆの周期Ｔａは、診断の対象やフラッシュ（キャビテーションによる微小気泡の発生を指す）させる造影剤の種類により設定が異なるが、一般的には例えば０．５秒から０．０５秒の範囲である。一方、パルスＰｇは、パルスＰｆの前後に振動子の印加電圧の遷移不応時間に対応する時間Ｔｃ１、Ｔｃ２を設けて、これを避けた期間に周期Ｔｂで繰り返し放射し、フレームレートやスキャン角、あるいはスキャン幅にも依存する数１００〜数ＫＨｚの繰り返し周波数で出力する。
【００３６】
また、送信制御部１３から、図２（ｂ）に示すパルス時間Ｔｃ２の出力電圧制御信号が、フラッシュ用超音波信号のタイミングであるパルスＰｆの以前に出力電圧制御部１７に入力され、さらにこれに同期する１次レギュレータ出力電圧制御信号および２次レギュレータ出力電圧制御信号が、出力電圧制御部１７からそれぞれ１次レギュレータ１４あるいは２次レギュレータ１６に入力される。
【００３７】
この出力電圧制御信号が入力された１次レギュレータ１４あるいは２次レギュレータ１６により、送信用電源１１から送信パルス発生部１２への出力電圧が、同図（ｃ）に示すように時間Ｔｃ２の期間に高電圧Ｖｈに達する。
【００３８】
一方、これらのレギュレータの出力電圧が高電圧Ｖｈとなる同じタイミングの時間Ｔｃ２の期間で、出力電圧制御部１７からスイッチ制御信号が出力されて、平滑フィルタ１５のスイッチ１５４、１５５、出力コンデンサ部のスイッチ１８１、入力コンデンサ部のスイッチ１２３全てを「オフ」にして、これらのスイッチに直列接続しているコンデンサ１５６、１５７、出力コンデンサ部のコンデンサ１８２、入力コンデンサ部のコンデンサ１２４を切り離して、静電容量値が切り離し前の例えば半分あるいは、数分の１の静電容量値に設定しているコンデンサ１５２、１５３、出力コンデンサ部のコンデンサ１８、入力コンデンサ部のコンデンサ１２２がそれぞれ回路に接続されている状態に変化させ、静電容量値を減少する。
【００３９】
送信用電源１１の電圧出力を高電圧Ｖｈとする時間Ｔｃ２のタイミングでは、回路の各コンデンサがこの高電圧に対する充電が一斉に行われる。この充電において、コンデンサに流れ込む瞬時電流ΔＩの大きさは、出力電圧の遷移時間ΔＴと、出力電圧の変化ΔＶと、負荷となるコンデンサ容量Ｃの積で決まる電荷ΔＱ＝Ｃ・ΔＶに依存するので、ΔＩ＝ΔＱ／ΔＴ＝Ｃ・ΔＶ／ΔＴの関係がある。したがって、前述のスイッチによる並列接続のコンデンサの切り離しにより、充電電圧（ΔＶ）が高くなっても、コンデンサ容量Ｃが数分の１の容量値Ｃ’に減少するので、図３（ｃ）に示すように、過大な電流を流さないで、高電圧Ｖｈにすることができる。
【００４０】
そしてこの充電が確実に成される時間Ｔｃ２の後半で、図２（ａ）および（ｅ）のタイミングチャートで示すように、送信パルス制御信号のパルスＰｆの入力された送信パルス発生回路１２１によりフラッシュ用超音波信号の駆動信号が出力され超音波振動子から超音波のフラッシュ用超音波信号Ｄｆが放射される。
【００４１】
フラッシュ用超音波信号Ｄｆを放射した後の送信パルス制御信号は、図２（ｃ）および（ｅ）に示すように、高電圧駆動した振動子の振動余韻の緩和と、送信用電源部１１の出力電圧を画像信号のために低い駆動電圧に下げる電圧遷移の時間を考慮した時間Ｔｃ１を経過した後に、画像信号Ｄｇを放射するタイミングのパルスＰｇを周期Ｔｂで、これが次のフラッシュ用超音波信号Ｄｆの時間Ｔｃ２前まで繰り返す。
【００４２】
この周期ＴｂでパルスＰｇによる画像信号を放射している時間、すなわちフラッシュ用超音波信号を放射するパルスＰｆ以降で次のパルスＰｆまでの期間では、図２（ｆ）に示すように、スイッチ制御信号は、平滑フィルタ１５のスイッチ１５４、１５５、出力コンデンサ部のスイッチ１８１、入力コンデンサ部のスイッチ１２３の全てを「オン」にして、コンデンサ１５２、１５３、出力コンデンサ部のコンデンサ１８、入力コンデンサ部のコンデンサ１２２のそれぞれに、コンデンサ１５６、１５７、出力コンデンサ部のコンデンサ１８２、入力コンデンサ部のコンデンサ１２４のそれぞれを並列接続し、静電容量値はそれぞれ加算した値となる。
【００４３】
さらに、このスイッチ制御信号が送信制御部１３から出力され、出力電圧制御信号により１次レギュレータおよび２次レギュレータが低電圧出力Ｖｌに切換えられ、送信用電源１１の出力電圧が超音波画像信号を得るための比較的低い駆動電圧に下げられて、送信パルス発生部１２に入力される。
【００４４】
この切換えは、同図（ｆ）に示すスイッチ制御信号が入力された出力電圧制御部１７から１次レギュレータ制御信号が１次レギュレータ１４に、２次レギュレータ制御信号が２次レギュレータ１６にそれぞれ送られて、所定の高電圧出力になるように設定される。
【００４５】
このパルスＰｇによる前述の画像信号が放射され、この加算した静電容量値となったこの期間では、生体内で反射した微弱な超音波反射信号を、大きい静電容量値の受信回路の特性である回路ノイズや電源ノイズを抑えた受信をする。
【００４６】
なお、上にした説明では、送信用電源部および送信パルス発生部に設けられた高周波ノイズを除去するフィルタを構成する３つの回路に実施する実施形態を示したが、これらを統合した超音波診断装置の振動子駆動・受信部の設計においては、それぞれ送信用電源部および送信パルス発生部にノイズマージンが設定されて構成される。したがって、マージンの設定に対応して、上述の３つのいずれかの部分のコンデンサに対し、本実施形態を適用することもの本発明と目的とその効果を同じくするものである。
【００４７】
本実施形態によれば、送信部の電源に組み込まれた平滑フィルタ１５のコンデンサ１５２、１５３、電源出力コンデンサ１８、及び電源入力コンデンサ１２２のそれぞれが、駆動電源電圧の遷移のあるフラッシュ用超音波信号の放射期間ではそれぞれ単独の小さい静電容量値になって、コンデンサ充電電流を抑える。一方、画像描出の超音波反射信号受信の期間では低ノイズに抑える並列コンデンサ１５６，１５７，１８２、１２３のそれぞれがスイッチ素子で付加されて、これらがそれぞれに加算された大きい静電容量値に切り換えられても、このタイミングでは印加電圧が低いので、過大な充電電流が流れることがなく、充電に要する時間も短く、走査線密度あるいはフレームレートが高く取れ、かつ走査線ノイズを十分低く抑えた超音波診断装置を提供できる。
【００４８】
また、フラッシュ用超音波信号の放射期間と超音波反射信号受信の期間それぞれの回路条件を、個別に設計できるので、期間タイミングそれぞれの最良の条件設定で設計が行なえ、トレードオフとなる従来と比べて設計が容易となる利点もある。
【図面の簡単な説明】
【００４９】
【図１】本発明の実施形態を示す構成図。
【図２】本発明の実施形態の各信号の関係を示すタイミング図。
【図３】本実施形態における電源出力コンデンサの充電電流と出力電圧の関係を示す図。
【図４】一般的なフラッシュエコー方式の超音波診断装置の構成概略図。
【図５】一般的なフラッシュエコー方式の超音波診断装置の問題点を説明する図。
【符号の説明】
【００５０】
１１・・・送信電源部、
１２・・・送信パルス発生部、
１３・・・送信制御部、
１４・・・１次レギュレータ、
１５・・・平滑フィルタ、
１６・・・２次レギュレータ、
１７・・・出力電圧制御部、
１８・・・出力コンデンサ、
１９、４４、・・・超音波振動子、
４０・・・送信部、
４１・・・基準クロック発生部、
４２・・・電圧切換え部、
４３・・・駆動送信部、
４５・・・探触子、
４６・・・前置増幅器、
４７・・・信号処理部、
４８・・・画像表示部
４９・・・接続リード線、
１２１・・・送信パルス発生回路、
１２２・・・入力コンデンサ、
１２３、１５４、１５５、１８１・・・スイッチ、
１５１・・・平滑コイル、
１５２、１５３、１５６、１５７・・・コンデンサ。
【図１】
2006081730.tif 000003
【図２】
2006081730.tif 000004
【図３】
2006081730.tif 000005
【図４】
2006081730.tif 000006
【図５】
2006081730.tif 000007